(57)【要約】【課題】ＵＶランプを使用する機器に対応して自由に形状を設定できるとともに、発光部両端の光度の低下しない生産性に優れた新しい発想のＵＶランプを提供すること。【解決手段】以下の要件を備えることを特徴とするＵＶランプ１。（イ）上記ＵＶランプ１を構築するＵＶ管２は直管状の発光部３と、該発光部３の両端部の電極部５とで構成され、該電極部５は上記発光部３に直交して突出させたこと（ロ）上記電極部５は互いに異なる方向に突出させたこと【選択図】図１
2009272065.tif 000002
【特許請求の範囲】
【請求項１】
以下の要件を備えることを特徴とするＵＶランプ。
（イ）上記ＵＶランプを構築するＵＶ管は直管状の発光部と、該発光部の両端部の電極部とで構成され、該電極部は上記発光部に直交して突出させたこと
（ロ）上記電極部は互いに異なる方向に突出させたこと
【請求項２】
前記発光部の長さは自由に設定され、ＵＶランプを連結することにより全体として任意の形状のＵＶランプ装置を構成できる、請求項１記載のＵＶランプ。
【発明の詳細な説明】
【技術分野】
【０００１】
本発明は、ＵＶランプ、詳しくは直管状の発光部の両端部に電極部を直交して形成したＵＶランプに関するものである。
【背景技術】
【０００２】
従来、ＵＶランプが様々な機器に利用されているが、このＵＶランプはＵＶ管が一直線に形成されているのが多く使用されているが、機器によってはＵＶ管の形状が一直線ではないものが必要とされ提案されている（例えば、特許文献１）。このＵＶランプが使用される機器はカラー感熱プリンタで、両端部を屈曲させて中央部よりカラー感熱記録紙に近接させた形状にしたものである。これは両端部は紫外線の発光量が少ないため、記録紙に近づけて中央部と両端部との紫外線の照度がほぼ等しくなるようにしたものである。
【特許文献１】特開平８−１１８６８８号公報
【発明の開示】
【発明が解決しようとする課題】
【０００３】
本発明が解決しようとする問題点は、紫外線を利用する機器に取り付ける際、機器が大量に製造される場合は、それに対応した形状のＵＶ管を製造することは可能であるが、少ない機器やカスタマイズした機器に使用する場合は、その機器に対応したＵＶランプを製造するのは生産性、経済性の面で問題があった。また、発光部の両端で光度が低下する問題もあった。
【０００４】
本発明は、上記問題点を解決し、ＵＶランプを使用する機器に対応して自由に形状を設定できるとともに、発光部両端の光度の低下しない生産性に優れた新しい発想のＵＶランプを提供することを課題とする。
【課題を解決するための手段】
【０００５】
前記課題を解決するために本発明に係るＵＶランプは、以下の要件を備えることを特徴とする。
（イ）上記ＵＶランプを構築するＵＶ管は直管状の発光部と、該発光部の両端部の電極部とで構成され、該電極部は上記発光部に直交して突出させたこと
（ロ）上記電極部は互いに異なる方向に突出させたこと
【０００６】
なお、前記発光部の長さは自由に設定され、ＵＶランプを連結することにより全体として任意の形状のＵＶランプ装置を構成できるようにすればよい。
【発明の効果】
【０００７】
本発明によれば、電極部が発光部に対して直交するように形成されるとともに、互いに異なる方向に突出させたので、ＵＶランプを直列に並べる場合には、電極部が邪魔にならず発光部を連続させることができるので、長尺のＵＶランプを短尺のＵＶランプで構築することができるとともに、連結の仕方によって任意の形状のＵＶランプを実現することができる新しい発想のＵＶランプを提供することができる。
【発明を実施するための最良の形態】
【０００８】
図１（ａ）は、本発明に係るＵＶランプ１の一例を示す正面図で、このＵＶランプ１はＵＶ管２が直管状の発光部３と、この発光部３の両端に形成された電極４を取り付けた電極部５（５ａ、５ｂ）とで構成されるもので、この電極部５ａ、５ｂは、発光部３の長手方向に対して直交するとともに、互いに異なる方向に突出させたもので、図１（ｂ）の右側面図に示すように、電極部５ａ、５ｂが側面視で重ならないように略Ｖ字状に突出させて形成されているものである。そして、発光部３に対し電極部５は上方に位置することになるので、図１（ｃ）の底面図に示すように、発光部３の発光面３ａには発光の障害となるものは存在しないことになる。
【０００９】
なお、電極部５ａ、５ｂを互いに異なる方向に突出させることにより、発光部３の端部同士を接触させるようにしてＵＶランプ１を左右に連続させた場合、左側に位置するＵＶランプ１の電極部５ａと、右側に位置するＵＶランプ１の電極部５ｂとは、図２の底面図に示すように、異なる方向に突出しているため互いがぶつかることなく連結することができ、電極部５ａ、５ｂ形成するＶ字の角度は連結時に電極部５ａ、５ｂがぶつからない最小の範囲から最大１８０度まで自由に設定すればよい。
【００１０】
上記構成のＵＶランプによれば、長尺のＵＶランプ装置Ａを構築する場合は、複数のＵＶランプを発光部３の端部同士を接触させて、図２（ｂ）の底面図に示すように、一直線状に並べれば長尺のＵＶランプ装置Ａを構築することができ、発光部の発光面３ａを一直線に連続させることができ、ＵＶランプ装置の長さに応じて任意の数のＵＶランプを連結させればよい。
【００１１】
また、直角に折り曲がったＵＶランプ装置Ａを構築する場合は、ＵＶランプ１を図３（ａ）（ｂ）の底面図及び平面図に示すように、発光部３が連続するようにＵＶランプ１を直交させれば、直角に折り曲がったＵＶランプ装置Ａを構築することができるし、環状のＵＶランプ装置Ａを構築する場合は、図４に示すように、発光部３が連続するように一定の傾きでＵＶランプ１を連続させれば環状のＵＶランプ装置Ａを構築することができ、ＵＶランプ１の連結の仕方によって任意の形状のＵＶランプ装置Ａを構築することができる。
【００１２】
また、発光部３の長さは単一の長さに限定されるものではなく、その長さは自由に設定すればよい。このことにより、例えば、同じ長さのＵＶランプ装置Ａであっても、短尺のＵＶランプ１を連結して構築してもよいし（図５（ａ）参照）、中尺のＵＶランプ１を連結して構築してもよいし（図５（ｂ）参照）、長尺のＵＶランプ１を連結して構築してもよい（図５（ｃ）参照）。
【００１３】
また、図６（ａ）〜（ｃ）に示すように、上記ＵＶランプを３次元に連結することにより曲面状のＵＶランプ装置を構築し、曲面にＵＶ光を照射できるようにしてもよい。なお、ＵＶランプ装置Ａが曲面を構成していることを判りやすくするために、図６では、電極部５ａ、５ｂを除いて発光部３のみを連結した状態で説明した。
【００１４】
上述したように、電極部５が発光部３に対し直交するとともに、互いに異なる方向に突出しているので、隣接するＵＶランプ１の電極部５がぶつかることなく発光部３を連続させることができ、発光部３の発光面３ａが途切れることなく連続させることができるとともに、角度を持って連結することが可能になり連続の仕方では自由な形状のＵＶランプ装置Ａを構築することができ、必要に応じて発光部３の形状を変えなければならない従来のＵＶランプ装置では得ることのできない生産性と効率性とを満足させるＵＶランプを提供することができる。
【図面の簡単な説明】
【００１５】
【図１】（ａ）〜（ｃ）はＵＶランプの一例を説明する正面図、右側面図及び底面図
【図２】（ａ）（ｂ）はＵＶランプを連結した状態を説明する底面図
【図３】（ａ）（ｂ）は折れ曲がったＵＶランプ装置をＵＶランプで構築する説明図
【図４】環状のＵＶランプ装置をＵＶランプで構築する説明図
【図５】（ａ）〜（ｃ）は発光部の長さの異なるＵＶランプでＵＶランプ装置を構築する場合を説明する正面図
【図６】（ａ）〜（ｃ）は、ＵＶランプ装置の他の例を説明する、発光部のみで描画した正面図、Ｘ−Ｘ´端面図及びＹ−Ｙ´端面図
【符号の説明】
【００１６】
１    ＵＶランプ
２    ＵＶ管
３    発光部
４    電極
５    電極部
Ａ    ＵＶランプ装置
【図１】
2009272065.tif 000003
【図２】
2009272065.tif 000004
【図３】
2009272065.tif 000005
【図４】
2009272065.tif 000006
【図５】
2009272065.tif 000007
【図６】
2009272065.tif 000008